(57)【要約】      （修正有）【課題】簡単な回動によって液位の測定高さを調整可能なフロート弁の液位調整装置を提供する。【解決手段】本体１の内部に、軸心２、止水リング３１及び本体外部まで延びる牽引バー６が設けられ、本体１の外縁にはフロートロッド５が接続され、フロートロッド５と牽引バー６の間に調整装置７が設けられる。当該フロートロッド５には、液位を測定すべくフロートが接続されている。液位が低下すると、フロートロッド５及び牽引バー６が下方に牽引されることで、止水リング３１が下方に引っ張られて給水動作が実施される。調整装置７は、フロートロッド５に固定される固定部材７１と、固定部材７１に回転接続される回動可能な調整部材７３と、両端が調整部材７３及び牽引バー６に回転接続される可動部材７４と、を含む。別の高さの液位を測定する際には、調整部材７３を回動してフロートロッド５と牽引バー６の距離を調整し、液位の測定高さを調整する。【選択図】図１
0003214991.tif 000002
【実用新案登録請求の範囲】
【請求項１】
水平な給水口及び当該給水口に垂直に連通する排水口が設けられ、内縁に突壁が設けられるとともに、内部に軸心が設けられ、当該軸心の下方が、止水リング及び止水リングを嵌設するための止水リング受けを貫通して牽引バー受けに固定されている本体と、
一端が上下に動作可能に本体に回転接続されるフロートロッドと、
一端が本体を貫通してから牽引バー受けを貫通し、本体に固定される牽引バーと、が設けられ、
当該フロートロッドには、液位を測定すべく、一端部にフロートが設けられたロッド体が接続されており、液位が正常高さの場合、フロートが水面に浮上してフロートロッド及び牽引バーを上方に牽引することで、止水リングが本体内縁の突壁に突き上げられる結果、本体の給水口から排水口への流出が不可能となって止水され、液位が低下すると、フロートが沈下してフロートロッド及び牽引バーを下方に牽引する結果、止水リングが下方に引っ張られて突壁から離脱し、給水動作が実施されるフロート弁の液位調整装置の改良において、
当該フロートロッドと牽引バーの間には調整装置が設けられ、当該調整装置は、互いに接続される固定部材、ナット、調整部材及び可動部材を含み、当該固定部材は、先端に凹溝が設けられるとともに下端にボルト部が設けられ、当該凹溝に当該フロートロッドが配置され、且つ、ボルト部を介して当該固定部材が調整部材に係入され、
当該調整部材の上縁には、固定部材のボルト部が係入されるねじ孔が設けられ、調整部材を回動することで固定部材が上下に移動可能とされ、当該調整部材の底縁には、可動部材が嵌設及び連結される嵌設部が設けられ、
当該可動部材は、上縁に掛持部が設けられるとともに底縁に凹溝が設けられ、当該掛持部を介して調整部材の嵌設部に嵌設され、且つ、当該可動部材が動作可能となるよう、当該凹溝に牽引バーが配置され、別の高さの液位を測定しようとする場合には、調整部材を回動してフロートロッドと牽引バーの距離を調整することで、液位の測定高さを調整することを特徴とする改良。
【請求項２】
当該本体のうち給水口と対向する側の上方には突出したボルト接続部が設けられ、当該フロートロッドの一端には対称な突起が設けられ、当該フロートロッドは、突起を介して上下に動作可能に本体のボルト接続部に回転接続される請求項１記載のフロート弁の液位調整装置の改良。
【請求項３】
当該本体のうち給水口と対向する側の下方には垂直な開口が設けられ、当該牽引バー受けには垂直な開口が設けられ、牽引バーの一端は、本体の開口を貫通してから牽引バー受けの開口を貫通し、本体のうち開口とは対向する側に固定される請求項１記載のフロート弁の液位調整装置の改良。
【請求項４】
当該フロートロッドのうち突起と対向する端は湾曲状をなしており、当該湾曲状の部分には、端部にフロートが設けられたロッド体を接続すべく、回転接続部が設けられる請求項１記載のフロート弁の液位調整装置の改良。
【請求項５】
当該調整部材の嵌設部は凹溝であり、凹溝の開口には内向きの位置規制部が設けられ、当該可動部材の掛持部は柱体であり、柱体の上縁には大径の掛合部が設けられ、当該可動部材の掛持部を調整部材の嵌設部に嵌設した後、位置規制部が当該掛合部を掛止することで位置規制される請求項１記載のフロート弁の液位調整装置の改良。
【考案の詳細な説明】
【技術分野】
【０００１】
本考案は、フロート弁の液位調整装置の改良（３）に関し、特に、簡単な回動によって液位の測定高さを調整可能なフロート弁の液位調整装置に関する。
【背景技術】
【０００２】
一般的な給水塔や貯水槽等の貯水タンクでは、液位がセキュリティ値まで低下すると自動的に給水し、満水になると給水を自動的に停止する。通常、給水管には制御装置を設ける必要があり、最も常用される制御装置は、ロッド体によりフロートを接続するフロート連動開閉装置である。フロート連動開閉装置は種類の如何にかかわらず、いずれも水位に伴うフロートの下降及び上昇によって給水管の給水弁を開閉する。これにより給水管の給水要否を制御し、給水塔や貯水槽における水位制御の目的を達するとともに、給水塔や貯水槽に十分な貯水量を維持させる。
【０００３】
従来のフロート連動開閉装置の場合、所望の液位に変化や調整の必要性が生じると、フロートの上昇及び下降高さが異なることから、フロートと制御装置に接続されるロッド体を適切に湾曲する必要があった。これはたいへん煩雑なばかりか、理想的な角度への調整が難しいため、フロートの測定高さの調整は非常に困難であった。出願人はこの点に鑑みて、研究及び実験を重ねた結果、簡単な回動でフロート弁の液位を調整することで液位の測定高さを調整するフロート弁における液位調整装置の改良（３）を設計した。
【考案の概要】
【考案が解決しようとする課題】
【０００４】
本考案は、簡単な回動によってフロートの液位測定高さが調整されるとともに、液位の測定がより正確となるフロート弁の液位調整装置の改良（３）を提供することを主たる目的とする。
【課題を解決するための手段】
【０００５】
前記フロート弁の液位調整装置の改良（３）においては、本体が設けられ、本体の内部に、軸心、止水リング及び本体外部まで延びる牽引バーが設けられ、本体の外縁にはフロートロッドが接続され、当該フロートロッドと牽引バーの間に調整装置が設けられる。当該フロートロッドには、液位を測定すべくフロートが接続されている。液位が低下すると、フロートロッド及び牽引バーが下方に牽引されることで、止水リングが下方に引っ張られて給水動作が実施される。当該調整装置は、フロートロッドに固定される固定部材と、当該固定部材に回転接続される回動可能な調整部材と、両端が調整部材及び牽引バーに回転接続される可動部材と、を含む。別の高さの液位を測定する際には、調整部材を回動してフロートロッドと牽引バーの距離を調整することで、液位の測定高さを調整する。
【０００６】
前記フロート弁の液位調整装置の改良（３）において、調整装置の固定部材は、先端に凹溝が設けられるとともに下端にボルト部が設けられ、当該凹溝に当該フロートロッドが配置され、且つ、ボルト部を介して固定部材が調整部材に係入される。
【０００７】
前記フロート弁の液位調整装置の改良（３）において、調整装置の調整部材の上縁には、固定部材のボルト部が係入されるねじ孔が設けられ、調整部材を回動することで固定部材が上下に移動可能とされ、当該調整部材の底縁には、可動部材が嵌設及び連結される嵌設部が設けられる。
【０００８】
前記フロート弁の液位調整装置の改良（３）において、調整装置の可動部材は、上縁に掛持部が設けられるとともに底縁に凹溝が設けられ、当該掛持部が調整部材の嵌設部に嵌設され、且つ、当該可動部材は、動作可能に凹溝を介して牽引バーに固定される。
【図面の簡単な説明】
【０００９】
【図１】図１は、本考案の分解斜視図である。
【図２】図２は、本考案の斜視図である。
【図３】図３は、本考案の断面図である。
【図４】図４は、本考案の使用状態を示す図である。
【図５】図５は、本考案の調整動作を示す図である。
【考案を実施するための形態】
【００１０】
図１及び図２を参照しつつ、図３を組み合わせる。なお、これらの図は、本考案にかかる分解斜視図、斜視図及び断面図である。図示するように、本考案には本体１が設けられている。本体１には、水平な給水口１１及び当該給水口１１に垂直に連通する排水口１２が設けられている。給水口１１と対向する側の上方には突出したボルト接続部１３が設けられており、且つ、当該側の下方には垂直な開口１４が設けられている。また、本体１の内縁には突壁１５が設けられており、突壁１５の上方には給水を濾過するためのフィルタ１６が設けられている。本体１の上方には、底縁にＯリング１７１が覆設される上蓋１７が設けられている。
【００１１】
当該本体１の内部には軸心２が設けられており、軸心２にはＯリング２１が覆設されている。当該軸心２の下方は、止水リング３１及び止水リング３１を嵌設するための止水リング受け３を貫通して、牽引バー受け４に固定されている。また、当該牽引バー受け４には、垂直な開口４１が設けられている。
【００１２】
フロートロッド５は一端に対称な突起５１が設けられており、他端が湾曲状をなしている。また、当該湾曲状の部分には回転接続部５２が設けられている。当該フロートロッド５は、突起５１を介して上下に動作可能に本体１のボルト接続部１３に回転接続されている。
【００１３】
牽引バー６は、一端が本体１の開口１４を貫通してから牽引バー受け４の開口４１を貫通し、本体１のうち開口１４とは対向する側に固定されている。また、他端は湾曲状となっている。
【００１４】
当該フロートロッド５と牽引バー６の間には、調整装置７が設けられている。当該調整装置７は、互いに接続される固定部材７１、ナット７２、調整部材７３及び可動部材７４を含む。当該固定部材７１は先端に凹溝７１１が設けられるとともに、下端にボルト部７１２が設けられている。当該凹溝７１１には当該フロートロッド５が配置され、且つ、ボルト部７１２を介して固定部材７１が調整部材７３に係入される。当該調整部材７３の上縁には、固定部材７１のボルト部７１２が係入されるねじ孔７３１が設けられており、調整部材７３の回動によって固定部材７１が上下に移動可能となっている。また、当該調整部材７３の底縁には嵌設部７３２が設けられている。当該嵌設部７３２は凹溝であって、凹溝の開口には、可動部材７４が嵌設及び連結される内向きの位置規制部７３２１が設けられている。当該可動部材７４は上縁に掛持部７４１が設けられるとともに、底縁に凹溝７４２が設けられている。当該掛持部７４１は柱体であり、柱体の上縁には大径の掛合部７４１１が設けられている。当該可動部材７４は、掛持部７４１の掛合部７４１１を介して調整部材７３の嵌設部７３２に嵌設されており、且つ、位置規制部７３２１が掛合部７４１１を掛止することで位置規制されている。また、当該可動部材７４は、動作可能に凹溝７４２を介して牽引バー６に固定されている。
【００１５】
フロート弁の液位調整装置の改良は、上記部材を組み合わせてなされる。当該フロートロッド５には、液位を測定すべくフロートが接続される。液位が正常高さの場合、フロートは水面に浮上してフロートロッド５及び牽引バー６を上方に牽引する。これにより、止水リング３１が本体１内縁の突壁１５を突き上げる結果、本体１の給水口１１から排水口１２への流出が不可能となり、止水される。これに対し、液位が低下すると、フロートが沈下してフロートロッド５及び牽引バー６が下方に牽引される結果、止水リング３１が下方に引っ張られて突壁１５から離脱し、給水動作が実施される。当該調整装置７は、別の高さの液位を測定する場合、調整部材７３を回動してフロートロッド５と牽引バー６との距離を調整し、液位の測定高さを調整する。
【００１６】
本考案の使用状態を示す図４を参照する。図示するように、本考案では使用にあたり、一端部にフロート８が設けられたロッド体８１をフロートロッド５の回転接続部５２に接続して、フロート８を測定対象の液面に浮かべる。液面が低下又は上昇すると、当該フロート８の下降又は上昇に当該ロッド体８１が追随し、これに伴って当該フロートロッド５が上下に変位することで、給水及び止水が制御される。
【００１７】
本考案の調整動作を示す図５を参照する。図１及び図２、図４を組み合わせると、図示するように、本考案では使用にあたり、一端部にフロート８が設けられたロッド体８１をフロートロッド５の回転接続部５２に接続して、フロート８を測定対象の液位に浮かべる。液位が正常状態の場合、当該フロートロッド５及び牽引バー６が上方に牽引されることで、止水リング３１が本体１内縁の突壁１５を突き上げる。これにより、本体１の給水口１１から排水口１２への流出が不可能となり、止水される。一方、液位が低下すると、フロート８が沈下してフロートロッド５及び牽引バー６が下方に牽引される結果、止水リング３１が下方に引っ張られて突壁１５から離脱し、給水動作が実施される。また、測定対象の液位を調整したい場合には、調整部材７３を適切に回動し、回動時に当該固定部材７１を上下に変位させることで、フロートロッド５と牽引バー６との距離を調整する。このようにして、フロートロッド５における上下の移動角度を変更することで、フロート８の液位測定高さが調整されるため、液位の調整がより容易且つ迅速化するほか、正確さが増す。
【００１８】
上記実施例は本考案の好ましい実施形態を説明するものにすぎず、本考案の範囲を制限するものではない。また、若干の追加、変更によって本考案の主旨が損なわれたり、本考案の精神から逸脱したりすることはない。
【００１９】
上述したように、本考案では、軸心、フロートロッド及び牽引バーを含む本体を、フロートロッドと牽引バーの間に設けられ、固定部材、調整部材及び可動部材からなる調整装置と組み合わせることで、簡単な回動によってフロートの液位測定高さが調整されるとともに、液位の測定がより正確となるフロート弁の液位調整装置の改良をなす。これは実用的な設計であり、新規性を有する考案であるため、法に基づき出願する。審査のうえ、早期の権利化をお願い申し上げる。
【符号の説明】
【００２０】
１        本体
１１      給水口
１２      排水口
１３      ボルト接続部
１４      開口
１５      突壁
１６      フィルタ
１７      上蓋
１７１    Ｏリング
２        軸心
２１      Ｏリング
３        止水リング受け
３１      止水リング
４        牽引バー受け
４１      開口
５        フロートロッド
５１      突起
５２      回転接続部
６        牽引バー
７        調整装置
７１      固定部材
７１１    凹溝
７１２    ボルト部
７２      ナット
７３      調整件
７３１    ねじ孔
７３２    嵌設部
７３２１  位置規制部
７４      可動部材
７４１    掛持部
７４１１  掛合部
７４２    凹溝
８        フロート
８１      ロッド体
【図１】
0003214991.tif 000003
【図２】
0003214991.tif 000004
【図３】
0003214991.tif 000005
【図４】
0003214991.tif 000006
【図５】
0003214991.tif 000007
【手続補正書】
【提出日】平成29年12月7日(2017.12.7)
【手続補正１】
【補正対象書類名】実用新案登録請求の範囲
【補正対象項目名】全文
【補正方法】変更
【補正の内容】
【実用新案登録請求の範囲】
【請求項１】
水平な給水口及び当該給水口に垂直に連通する排水口が設けられ、内縁に突壁が設けられるとともに、内部に軸心が設けられ、当該軸心の下方が、止水リング及び止水リングを嵌設するための止水リング受けを貫通して牽引バー受けに固定されている本体と、
一端が上下に動作可能に本体に回転接続されるフロートロッドと、
一端が本体を貫通してから牽引バー受けを貫通し、本体に固定される牽引バーと、が設けられ、
当該フロートロッドには、液位を測定すべく、一端部にフロートが設けられたロッド体が接続されており、液位が正常高さの場合、フロートが水面に浮上してフロートロッド及び牽引バーを上方に牽引することで、止水リングが本体内縁の突壁に突き上げられる結果、本体の給水口から排水口への流出が不可能となって止水され、液位が低下すると、フロートが沈下してフロートロッド及び牽引バーを下方に牽引する結果、止水リングが下方に引っ張られて突壁から離脱し、給水動作が実施されるフロート弁の液位調整装置において、
当該フロートロッドと牽引バーの間には調整装置が設けられ、当該調整装置は、互いに接続される固定部材、ナット、調整部材及び可動部材を含み、当該固定部材は、先端に凹溝が設けられるとともに下端にボルト部が設けられ、当該凹溝に当該フロートロッドが配置され、且つ、ボルト部を介して当該固定部材が調整部材に係入され、
当該調整部材の上縁には、固定部材のボルト部が係入されるねじ孔が設けられ、調整部材を回動することで固定部材が上下に移動可能とされ、当該調整部材の底縁には、可動部材が嵌設及び連結される嵌設部が設けられ、
当該可動部材は、上縁に掛持部が設けられるとともに底縁に凹溝が設けられ、当該掛持部を介して調整部材の嵌設部に嵌設され、且つ、当該可動部材が動作可能となるよう、当該凹溝に牽引バーが配置され、別の高さの液位を測定しようとする場合には、調整部材を回動してフロートロッドと牽引バーの距離を調整することで、液位の測定高さを調整することを特徴とするフロート弁の液位調整装置。
【請求項２】
当該本体のうち給水口と対向する側の上方には突出したボルト接続部が設けられ、当該フロートロッドの一端には対称な突起が設けられ、当該フロートロッドは、突起を介して上下に動作可能に本体のボルト接続部に回転接続される請求項１記載のフロート弁の液位調整装置。
【請求項３】
当該本体のうち給水口と対向する側の下方には垂直な開口が設けられ、当該牽引バー受けには垂直な開口が設けられ、牽引バーの一端は、本体の開口を貫通してから牽引バー受けの開口を貫通し、本体のうち開口とは対向する側に固定される請求項１記載のフロート弁の液位調整装置。
【請求項４】
当該フロートロッドのうち突起と対向する端は湾曲状をなしており、当該湾曲状の部分には、端部にフロートが設けられたロッド体を接続すべく、回転接続部が設けられる請求項１記載のフロート弁の液位調整装置。
【請求項５】
当該調整部材の嵌設部は凹溝であり、凹溝の開口には内向きの位置規制部が設けられ、当該可動部材の掛持部は柱体であり、柱体の上縁には大径の掛合部が設けられ、当該可動部材の掛持部を調整部材の嵌設部に嵌設した後、位置規制部が当該掛合部を掛止することで位置規制される請求項１記載のフロート弁の液位調整装置。
【手続補正２】
【補正対象書類名】明細書
【補正対象項目名】全文
【補正方法】変更
【補正の内容】
【考案の詳細な説明】
【技術分野】
【０００１】
本考案は、フロート弁の液位調整装置（３）に関し、特に、簡単な回動によって液位の測定高さを調整可能なフロート弁の液位調整装置に関する。
【背景技術】
【０００２】
一般的な給水塔や貯水槽等の貯水タンクでは、液位がセキュリティ値まで低下すると自動的に給水し、満水になると給水を自動的に停止する。通常、給水管には制御装置を設ける必要があり、最も常用される制御装置は、ロッド体によりフロートを接続するフロート連動開閉装置である。フロート連動開閉装置は種類の如何にかかわらず、いずれも水位に伴うフロートの下降及び上昇によって給水管の給水弁を開閉する。これにより給水管の給水要否を制御し、給水塔や貯水槽における水位制御の目的を達するとともに、給水塔や貯水槽に十分な貯水量を維持させる。
【０００３】
従来のフロート連動開閉装置の場合、所望の液位に変化や調整の必要性が生じると、フロートの上昇及び下降高さが異なることから、フロートと制御装置に接続されるロッド体を適切に湾曲する必要があった。これはたいへん煩雑なばかりか、理想的な角度への調整が難しいため、フロートの測定高さの調整は非常に困難であった。出願人はこの点に鑑みて、研究及び実験を重ねた結果、簡単な回動でフロート弁の液位を調整することで液位の測定高さを調整するフロート弁における液位調整装置（３）を設計した。
【考案の概要】
【考案が解決しようとする課題】
【０００４】
本考案は、簡単な回動によってフロートの液位測定高さが調整されるとともに、液位の測定がより正確となるフロート弁の液位調整装置（３）を提供することを主たる目的とする。
【課題を解決するための手段】
【０００５】
前記フロート弁の液位調整装置（３）においては、本体が設けられ、本体の内部に、軸心、止水リング及び本体外部まで延びる牽引バーが設けられ、本体の外縁にはフロートロッドが接続され、当該フロートロッドと牽引バーの間に調整装置が設けられる。当該フロートロッドには、液位を測定すべくフロートが接続されている。液位が低下すると、フロートロッド及び牽引バーが下方に牽引されることで、止水リングが下方に引っ張られて給水動作が実施される。当該調整装置は、フロートロッドに固定される固定部材と、当該固定部材に回転接続される回動可能な調整部材と、両端が調整部材及び牽引バーに回転接続される可動部材と、を含む。別の高さの液位を測定する際には、調整部材を回動してフロートロッドと牽引バーの距離を調整することで、液位の測定高さを調整する。
【０００６】
前記フロート弁の液位調整装置（３）において、調整装置の固定部材は、先端に凹溝が設けられるとともに下端にボルト部が設けられ、当該凹溝に当該フロートロッドが配置され、且つ、ボルト部を介して固定部材が調整部材に係入される。
【０００７】
前記フロート弁の液位調整装置（３）において、調整装置の調整部材の上縁には、固定部材のボルト部が係入されるねじ孔が設けられ、調整部材を回動することで固定部材が上下に移動可能とされ、当該調整部材の底縁には、可動部材が嵌設及び連結される嵌設部が設けられる。
【０００８】
前記フロート弁の液位調整装置（３）において、調整装置の可動部材は、上縁に掛持部が設けられるとともに底縁に凹溝が設けられ、当該掛持部が調整部材の嵌設部に嵌設され、且つ、当該可動部材は、動作可能に凹溝を介して牽引バーに固定される。
【図面の簡単な説明】
【０００９】
【図１】図１は、本考案の分解斜視図である。
【図２】図２は、本考案の斜視図である。
【図３】図３は、本考案の断面図である。
【図４】図４は、本考案の使用状態を示す図である。
【図５】図５は、本考案の調整動作を示す図である。
【考案を実施するための形態】
【００１０】
図１及び図２を参照しつつ、図３を組み合わせる。なお、これらの図は、本考案にかかる分解斜視図、斜視図及び断面図である。図示するように、本考案には本体１が設けられている。本体１には、水平な給水口１１及び当該給水口１１に垂直に連通する排水口１２が設けられている。給水口１１と対向する側の上方には突出したボルト接続部１３が設けられており、且つ、当該側の下方には垂直な開口１４が設けられている。また、本体１の内縁には突壁１５が設けられており、突壁１５の上方には給水を濾過するためのフィルタ１６が設けられている。本体１の上方には、底縁にＯリング１７１が覆設される上蓋１７が設けられている。
【００１１】
当該本体１の内部には軸心２が設けられており、軸心２にはＯリング２１が覆設されている。当該軸心２の下方は、止水リング３１及び止水リング３１を嵌設するための止水リング受け３を貫通して、牽引バー受け４に固定されている。また、当該牽引バー受け４には、垂直な開口４１が設けられている。
【００１２】
フロートロッド５は一端に対称な突起５１が設けられており、他端が湾曲状をなしている。また、当該湾曲状の部分には回転接続部５２が設けられている。当該フロートロッド５は、突起５１を介して上下に動作可能に本体１のボルト接続部１３に回転接続されている。
【００１３】
牽引バー６は、一端が本体１の開口１４を貫通してから牽引バー受け４の開口４１を貫通し、本体１のうち開口１４とは対向する側に固定されている。また、他端は湾曲状となっている。
【００１４】
当該フロートロッド５と牽引バー６の間には、調整装置７が設けられている。当該調整装置７は、互いに接続される固定部材７１、ナット７２、調整部材７３及び可動部材７４を含む。当該固定部材７１は先端に凹溝７１１が設けられるとともに、下端にボルト部７１２が設けられている。当該凹溝７１１には当該フロートロッド５が配置され、且つ、ボルト部７１２を介して固定部材７１が調整部材７３に係入される。当該調整部材７３の上縁には、固定部材７１のボルト部７１２が係入されるねじ孔７３１が設けられており、調整部材７３の回動によって固定部材７１が上下に移動可能となっている。また、当該調整部材７３の底縁には嵌設部７３２が設けられている。当該嵌設部７３２は凹溝であって、凹溝の開口には、可動部材７４が嵌設及び連結される内向きの位置規制部７３２１が設けられている。当該可動部材７４は上縁に掛持部７４１が設けられるとともに、底縁に凹溝７４２が設けられている。当該掛持部７４１は柱体であり、柱体の上縁には大径の掛合部７４１１が設けられている。当該可動部材７４は、掛持部７４１の掛合部７４１１を介して調整部材７３の嵌設部７３２に嵌設されており、且つ、位置規制部７３２１が掛合部７４１１を掛止することで位置規制されている。また、当該可動部材７４は、動作可能に凹溝７４２を介して牽引バー６に固定されている。
【００１５】
フロート弁の液位調整装置の改良は、上記部材を組み合わせてなされる。当該フロートロッド５には、液位を測定すべくフロートが接続される。液位が正常高さの場合、フロートは水面に浮上してフロートロッド５及び牽引バー６を上方に牽引する。これにより、止水リング３１が本体１内縁の突壁１５を突き上げる結果、本体１の給水口１１から排水口１２への流出が不可能となり、止水される。これに対し、液位が低下すると、フロートが沈下してフロートロッド５及び牽引バー６が下方に牽引される結果、止水リング３１が下方に引っ張られて突壁１５から離脱し、給水動作が実施される。当該調整装置７は、別の高さの液位を測定する場合、調整部材７３を回動してフロートロッド５と牽引バー６との距離を調整し、液位の測定高さを調整する。
【００１６】
本考案の使用状態を示す図４を参照する。図示するように、本考案では使用にあたり、一端部にフロート８が設けられたロッド体８１をフロートロッド５の回転接続部５２に接続して、フロート８を測定対象の液面に浮かべる。液面が低下又は上昇すると、当該フロート８の下降又は上昇に当該ロッド体８１が追随し、これに伴って当該フロートロッド５が上下に変位することで、給水及び止水が制御される。
【００１７】
本考案の調整動作を示す図５を参照する。図１及び図２、図４を組み合わせると、図示するように、本考案では使用にあたり、一端部にフロート８が設けられたロッド体８１をフロートロッド５の回転接続部５２に接続して、フロート８を測定対象の液位に浮かべる。液位が正常状態の場合、当該フロートロッド５及び牽引バー６が上方に牽引されることで、止水リング３１が本体１内縁の突壁１５を突き上げる。これにより、本体１の給水口１１から排水口１２への流出が不可能となり、止水される。一方、液位が低下すると、フロート８が沈下してフロートロッド５及び牽引バー６が下方に牽引される結果、止水リング３１が下方に引っ張られて突壁１５から離脱し、給水動作が実施される。また、測定対象の液位を調整したい場合には、調整部材７３を適切に回動し、回動時に当該固定部材７１を上下に変位させることで、フロートロッド５と牽引バー６との距離を調整する。このようにして、フロートロッド５における上下の移動角度を変更することで、フロート８の液位測定高さが調整されるため、液位の調整がより容易且つ迅速化するほか、正確さが増す。
【００１８】
上記実施例は本考案の好ましい実施形態を説明するものにすぎず、本考案の範囲を制限するものではない。また、若干の追加、変更によって本考案の主旨が損なわれたり、本考案の精神から逸脱したりすることはない。
【００１９】
上述したように、本考案では、軸心、フロートロッド及び牽引バーを含む本体を、フロートロッドと牽引バーの間に設けられ、固定部材、調整部材及び可動部材からなる調整装置と組み合わせることで、簡単な回動によってフロートの液位測定高さが調整されるとともに、液位の測定がより正確となるフロート弁の液位調整装置をなす。これは実用的な設計であり、新規性を有する考案であるため、法に基づき出願する。審査のうえ、早期の権利化をお願い申し上げる。
【符号の説明】
【００２０】
１        本体
１１      給水口
１２      排水口
１３      ボルト接続部
１４      開口
１５      突壁
１６      フィルタ
１７      上蓋
１７１    Ｏリング
２        軸心
２１      Ｏリング
３        止水リング受け
３１      止水リング
４        牽引バー受け
４１      開口
５        フロートロッド
５１      突起
５２      回転接続部
６        牽引バー
７        調整装置
７１      固定部材
７１１    凹溝
７１２    ボルト部
７２      ナット
７３      調整件
７３１    ねじ孔
７３２    嵌設部
７３２１  位置規制部
７４      可動部材
７４１    掛持部
７４１１  掛合部
７４２    凹溝
８        フロート
８１      ロッド体